【手続補正書】
【提出日】平成22年1月29日(2010.1.29)
【手続補正１】
【補正対象書類名】特許請求の範囲
【補正対象項目名】請求項５
【補正方法】変更
【補正の内容】
【請求項５】
請求項１ないし４の何れか一項において、
前記偏光調整素子は、前記周方向に隣り合う前記光束の偏光方向が互いに垂直になるよう前記レーザ光の偏光方向を調整する、
ことを特徴とする光ピックアップ装置。
【手続補正２】
【補正対象書類名】明細書
【補正対象項目名】００２１
【補正方法】変更
【補正の内容】
【００２１】
＜技術的原理＞
まず、図１ないし図１０を参照して、本実施の形態に適用される技術的原理について説明する。
【手続補正３】
【補正対象書類名】明細書
【補正対象項目名】００２３
【補正方法】変更
【補正の内容】
【００２３】
図示の如く、アナモレンズの作用により、図中の“曲面方向”に信号光が収束することによって面Ｓ１に焦線が生じ、さらに、この曲面方向に垂直な図中の“平面方向”に信号光が収束することによって面Ｓ２に焦線が生じる。そして、面Ｓ１と面Ｓ２の間の面Ｓ０において、信号光のスポットが最小（最小錯乱円）となる。非点収差法に基づくフォーカス調整では、面Ｓ０に光検出器の受光面が置かれる。なお、ここではアナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１中の“平面方向”におけるアナモレンズの形状を平面に限定するものではない。
【手続補正４】
【補正対象書類名】明細書
【補正対象項目名】００４９
【補正方法】変更
【補正の内容】
【００４９】
本光学系の設計条件は、以下の通りである。
（１）往路倍率：１０倍
（２）復路倍率：１８倍
（３）角度調整素子１６によって付与される分光角度：１．９度
（４）角度調整素子１６の分光面と光検出器１７の検出面の間の光路長：３ｍｍ
（５）角度調整素子１６を配さないときの光検出面上におけるスポット径：６０μｍ
（６）角度調整素子１６を配したときの光検出面上における各信号光（光束領域Ａ〜Ｄをそれぞれ通過）の変位距離：１００μｍ
【手続補正５】
【補正対象書類名】明細書
【補正対象項目名】００５５
【補正方法】変更
【補正の内容】
【００５５】
図１３（ａ）は、上記シミュレーション条件において、ターゲット記録層とそれより奥の記録層との間の間隔ΔＬを変化させたときの、信号光領域（図９（ｂ）参照）に対する迷光１の漏れ込み量をシミュレーションしたシミュレーション結果である。なお、同図の縦軸には、信号光領域に対する迷光１の漏れ込み量の指標として、信号光領域に入射する全ての光（検出光＝迷光＋信号光）の光量と信号光のみの光量との比（光強度比）を用いている。迷光の漏れ込み量が増加するほど、光強度比が高くなる。検出光と信号光の強度は、上記光検出器１７の検出面に、同図（ｃ）のセンサパターンを配置したときの受光強度である。
【手続補正６】
【補正対象書類名】明細書
【補正対象項目名】００５６
【補正方法】変更
【補正の内容】
【００５６】
同図中、×印でプロットされたグラフは、図１２の光学系において、互いに重なり合う２つの迷光１の偏光方向が一致する場合のシミュレーション結果であり、▲印でプロットされたグラフは、互いに重なり合う２つの迷光１の偏光方向を互いに直交させた場合のシミュレーション結果である。なお、◇印でプロットされたグラフは、図１２の光学系において角度調整素子１６を省略した場合（従来例）のシミュレーション結果であり、このときの検出光と信号光の強度は、上記光検出器１７の検出面に、図１３（ｂ）のセンサパターンを配置したときの受光強度としている。
【手続補正７】
【補正対象書類名】明細書
【補正対象項目名】００７３
【補正方法】変更
【補正の内容】
【００７３】
偏光調整領域１１１ｂ、１１１ｃは、レーザ光に偏光調整作用を付与しない透明領域と
なっている。偏光調整領域１１１ａ、１１１ｄは、１／２波長板の構造を有する領域となっている。偏光調整領域１１１ａ〜１１１ｄには、同図（ａ）に矢印で示す偏光方向にてレーザ光（信号光、迷光１、２）が入射する。
【手続補正８】
【補正対象書類名】明細書
【補正対象項目名】００７４
【補正方法】変更
【補正の内容】
【００７４】
偏光調整領域１１１ａ、１１１ｄは、１／２波長板構造の光学軸が、入射レーザ光の偏光方向に対して４５度傾いた状態となっている。よって、偏光調整領域１１１ａ、１１１ｄを透過したレーザ光部分Ｌａ、Ｌｄの偏光方向は、同図（ｃ）に破線矢印で示すように、入射時の偏光方向に対して９０度回転された方向となる。一方、偏光調整領域１１１ｂ、１１１ｃはレーザ光に偏光調整作用を付与しないため、これら領域を透過したレーザ光部分Ｌｂ、Ｌｃの偏光方向は、同図（ｃ）に破線矢印で示すように、入射時の偏光方向が維持される。
【手続補正９】
【補正対象書類名】明細書
【補正対象項目名】００７６
【補正方法】変更
【補正の内容】
【００７６】
図１５（ｄ）〜（ｆ）は、偏光調整素子１１１の、同図（ａ）〜（ｃ）とは異なる構成例およびその作用を示す図である。この構成例では、同図（ｅ）に示す如く、偏光調整領域１１１ｂ、１１１ｃもまた、１／２波長板の構造を有する領域となっている。
【手続補正１０】
【補正対象書類名】明細書
【補正対象項目名】００７７
【補正方法】変更
【補正の内容】
【００７７】
偏光調整領域１１１ａ、１１１ｄは、１／２波長板構造の光学軸が、入射レーザ光の偏光方向に対して６７．５度傾いた状態となっており、偏光調整領域１１１ｂ、１１１ｃは、１／２波長板構造の光学軸が、入射レーザ光の偏光方向に対して２２．５度傾いた状態となっている。よって、偏光調整領域１１１ａ、１１１ｄと偏光調整領域１１１ｂ、１１１ｃを透過したレーザ光部分Ｌａ、ＬｄおよびＬｂ、Ｌｃの偏光方向は、同図（ｆ）に破線矢印で示すように、入射時の偏光方向に対して、それぞれ、反時計方向と時計方向に４５度回転された方向となる。
【手続補正１１】
【補正対象書類名】明細書
【補正対象項目名】００８３
【補正方法】変更
【補正の内容】
【００８３】
このとき、図９（ｂ）に示す分布状態において互いに重なり合う２つの迷光の偏光方向は、上記偏光調整素子１１１による作用によって、互いに直交することとなる。よって、
これら２つの迷光が干渉するのを抑制でき、結果、上記シミュレーションにて示したとおり、迷光が干渉して増幅し図１０（ｄ）のセンサパターンに漏れ込むのを抑制することができる。
【手続補正１２】
【補正対象書類名】明細書
【補正対象項目名】００９１
【補正方法】変更
【補正の内容】
【００９１】
加えて、本実施例によれば、図９（ｂ）に示す分布状態において互いに重なり合う２つの迷光の偏光方向を、偏光調整素子１１１による作用によって、互いに直交させたため、これら２つの迷光が干渉するのを抑制でき、結果、上記シミュレーションにて示したとおり、迷光が干渉して増幅し図１０（ｄ）のセンサパターンに漏れ込むのを抑制することができる。よって、迷光による検出信号の劣化をさらに抑制することができる。
【手続補正１３】
【補正対象書類名】図面
【補正対象項目名】図１３
【補正方法】変更
【補正の内容】
【図１３】
2010040072.tif 000001
【手続補正１４】
【補正対象書類名】図面
【補正対象項目名】図１５
【補正方法】変更
【補正の内容】
【図１５】
2010040072.tif 000002
【手続補正１５】
【補正対象書類名】図面
【補正対象項目名】図１６
【補正方法】変更
【補正の内容】
【図１６】
2010040072.tif 000003